(57)【特許請求の範囲】
【請求項１】
複数の配線を結束する結束部材に設けられた係止部材を、固定片に穿設された固定穴に係入することによって、前記配線を前記固定片に固定できる配線の固定構造であって、
前記係止部材は、
前記固定穴よりも径の小さい首部と、
当該首部の先端に設けられ、前記固定穴の内縁部に係止する頭部と
から構成され、
前記固定片には、
前記固定穴から前記固定片の一端部まで延設され、前記首部が通過可能な離間幅を有する抜き出し通路と、
当該抜き出し通路の前記固定穴と連結する一端部に設けられ、当該一端部の幅方向両側から中央に向かって各々突出する一対の係止部と
が設けられ、
前記固定片は鉛直方向に起立する略長方形状に形成され、
前記抜き出し通路は、前記固定穴から前記固定片の下端部まで延設され、
前記固定片の左右両端部のうち少なくとも一方には、側方に向かって延出された延出片が設けられていることを特徴とする配線の固定構造。
【請求項２】
キッチンカウンター内に組み付けられ、コンロバーナと、当該コンロバーナの加熱条件を設定する設定パネルと、当該設定パネルを支持する支持ユニットとを備え、前記設定パネルの回路基板から延びる複数の配線を結束する結束部材に設けられた係止部材を、固定片に穿設された固定穴に係入することによって、前記配線を前記固定片に固定できる配線の固定構造を備えたビルトインコンロであって、
前記支持ユニットは、
底部を有する略直方体状のフレーム枠と、
当該フレーム枠の前面下側に略水平に配置され、前記設定パネルを前記フレーム枠の前面側に支持する略三角柱状のパネル支持体と、
前記底部に固定され、前記パネル支持体を前記フレーム枠内に収納可能に軸支するパネル台と
を備え、
前記パネル台は、
前記底部の内側面に固定される平面視略長方形状の本体部と、
当該本体部の左右両端部から起立するとともに、前記フレーム枠の前方に突出され、前記パネル支持体の長手方向両端部を軸支する一対の軸支部と、
前記本体部の後端部に設けられた断面略Ｌ字状の固定部と
から構成され、
前記固定部は、
鉛直方向に起立する略長方形状の前記固定片と、
当該固定片の下端部と前記本体部の前記後端部との間を連結する連結片と
から構成され、
前記係止部材は、
前記固定穴よりも径の小さい首部と、
当該首部の先端に設けられ、前記固定穴の内縁部に係止する頭部と
を備え、
前記固定片は、
前記固定穴から前記固定片の下端部まで延設され、前記係止部材に設けられた前記首部が通過可能な離間幅を有する抜き出し通路と、
当該抜き出し通路の前記固定穴と連結する一端部に設けられ、当該一端部の幅方向両側から中央に向かって各々突出する一対の係止部と
をさらに備えたことを特徴とする配線の固定構造を備えたビルトインコンロ。
【請求項３】
前記フレーム枠の前面における前記パネル支持体が配置される前記下側を除く部分には、パネル板が着脱可能に固定され、
前記パネル支持体には、
前記設定パネルが支持される支持面と、
当該支持面の上端部から上方に延設され、前記パネル板の裏面に係止するための係止片と
が設けられたことを特徴とする請求項２に記載の配線の固定構造を備えたビルトインコンロ。
【発明の詳細な説明】
【技術分野】
【０００１】
本発明は、配線の固定構造及び当該配線の固定構造を備えたビルトインコンロに関し、詳しくは、固定板に固定された配線の取り外しが容易にできる配線の固定構造及び当該配線の固定構造を備えたビルトインコンロに関する。
【背景技術】
【０００２】
従来より、キッチンカウンター内に器具本体が組み込まれたビルトインコンロが知られている（例えば、特許文献１参照）。このビルトインコンロの器具本体の天板に施されたトッププレート上にはコンロが設けられ、器具本体の内部には、グリル庫内で被調理物を加熱するためのグリルが設けられている。さらに、最近では、前記のような基本的な加熱手段に加え、例えば、コンロ及びグリルによる加熱時間及び加熱温度等の加熱条件を設定できる設定パネルを器具本体の前面に備えたものが知られている。このタイプのビルトインコンロの場合、設定パネルに入力された加熱条件にしたがって、器具本体内に組み込まれたコントローラが、コンロ及びグリルに設けられたコンロバーナ及びグリルバーナの点火・消火の制御を行う。これにより、所望の加熱調理を簡単かつ正確に行うことができる。
【０００３】
そして、この設定パネルは、例えば、略水平に配置された略三角柱状のパネル支持体の一側面に形成され、そのパネル支持体の両端の一対の頂点部分が、器具本体の前面側に配設された支持ユニットの前面下部に軸支される。この軸支構造によって、設定パネルを使用時にだけ手前側に引き出し、不使用時には支持ユニットの内側に収納できる。さらに、支持面の上部には、パネル支持体の回動を阻止する係止片が設けられ、パネル支持体が回動して設定パネルが引き出される際には、その係止片が支持ユニットの前面中段に設けられた水平フレームに当接して係止する。これにより、パネル支持体の回動範囲が制限されるので、パネル支持体を回動させて支持ユニットから引き出した状態で保持することができる。
【０００４】
また、設定パネルの裏面側には、該設定パネルでの押圧操作を電気信号に変換してコントローラに出力する回路基板が設けられ、該回路基板には複数の配線が接続されている。そして、それら複数の配線はバラバラにならないように結束バンドで結束され、ハーネスとして支持ユニットの内側を配索されている。また、結束バンドには係止ピンが設けられ、該係止ピンを、支持ユニット内の底部に固定されて起立する固定板の係止孔に係入することで、支持ユニット内におけるハーネスの動きを制限している。これにより、ハーネスと回路基板との接続部分にかかる負荷が軽減されるので、回路基板の接続部分からハーネスが引っ張られて抜け落ちるのを防止できる。
【特許文献１】特開２００５−１１１０８８号公報
【発明の開示】
【発明が解決しようとする課題】
【０００５】
しかしながら、設定パネルの回路基板及びハーネス等の保守点検を行う場合、固定板に固定されたハーネスを取り外さなければならないが、一度係入した係止ピンを固定孔から引き抜くのは困難という問題点があった。この場合、治具等で係止ピンを引き抜いたり、引き抜けない場合は、結束バンドを切断して新しいものと交換する等の方法が採られていたが作業効率が悪かった。また、支持ユニットにおいて、パネル支持体の回動範囲が制限されるため、パネル支持体を外側に回動して引き出した状態では、それ以上パネル支持体を回動させることができない。よって、支持ユニットの前面から、回路基板やハーネスを保守点検することができないので、パネル支持体を支持ユニットからいちいち取り外さなければならなかった。
【０００６】
本発明は、上記課題を解決するためになされたものであり、固定板に固定された配線を所定の動作で容易に取り外すことができる配線の固定構造及び当該配線の固定構造を備えたビルトインコンロを提供することを目的とする。
【課題を解決するための手段】
【０００７】
上記目的を達成するために、請求項１に係る発明の配線の固定構造は、複数の配線を結束する結束部材に設けられた係止部材を、固定片に穿設された固定穴に係入することによって、前記配線を前記固定片に固定できる配線の固定構造であって、前記係止部材は、前記固定穴よりも径の小さい首部と、当該首部の先端に設けられ、前記固定穴の内縁部に係止する頭部とから構成され、前記固定片には、前記固定穴から前記固定片の一端部まで延設され、前記首部が通過可能な離間幅を有する抜き出し通路と、当該抜き出し通路の前記固定穴と連結する一端部に設けられ、当該一端部の幅方向両側から中央に向かって各々突出する一対の係止部とが設けられ、前記固定片は鉛直方向に起立する略長方形状に形成され、前記抜き出し通路は、前記固定穴から前記固定片の下端部まで延設され、前記固定片の左右両端部のうち少なくとも一方には、側方に向かって延出された延出片が設けられていることを特徴とする。
【０００８】
【０００９】
【００１０】
【００１１】
また、請求項２に係る発明の配線の固定構造を備えたビルトインコンロは、キッチンカウンター内に組み付けられ、コンロバーナと、当該コンロバーナの加熱条件を設定する設定パネルと、当該設定パネルを支持する支持ユニットとを備え、前記設定パネルの回路基板から延びる複数の配線を結束する結束部材に設けられた係止部材を、固定片に穿設された固定穴に係入することによって、前記配線を前記固定片に固定できる配線の固定構造を備えたビルトインコンロであって、前記支持ユニットは、底部を有する略直方体状のフレーム枠と、当該フレーム枠の前面下側に略水平に配置され、前記設定パネルを前記フレーム枠の前面側に支持する略三角柱状のパネル支持体と、前記底部に固定され、前記パネル支持体を前記フレーム枠内に収納可能に軸支するパネル台とを備え、前記パネル台は、前記底部の内側面に固定される平面視略長方形状の本体部と、当該本体部の左右両端部から起立するとともに、前記フレーム枠の前方に突出され、前記パネル支持体の長手方向両端部を軸支する一対の軸支部と、前記本体部の後端部に設けられた断面略Ｌ字状の固定部とから構成され、前記固定部は、鉛直方向に起立する略長方形状の前記固定片と、当該固定片の下端部と前記本体部の前記後端部との間を連結する連結片とから構成され、前記係止部材は、前記固定穴よりも径の小さい首部と、当該首部の先端に設けられ、前記固定穴の内縁部に係止する頭部とを備え、前記固定片は、前記固定穴から前記固定片の下端部まで延設され、前記係止部材に設けられた前記首部が通過可能な離間幅を有する抜き出し通路と、当該抜き出し通路の前記固定穴と連結する一端部に設けられ、当該一端部の幅方向両側から中央に向かって各々突出する一対の係止部とをさらに備えたことを特徴とする。
【００１２】
また、請求項３に係る発明の配線の固定構造を備えたビルトインコンロは、請求項２に記載の発明の構成に加え、前記フレーム枠の前面における前記パネル支持体が配置される前記下側を除く部分には、パネル板が着脱可能に固定され、前記パネル支持体には、前記設定パネルが支持される支持面と、当該支持面の上端部から上方に延設され、前記パネル板の裏面に係止するための係止片とが設けられたことを特徴とする。
【発明の効果】
【００１３】
請求項１に係る発明の配線の固定構造では、固定片の固定穴に係入された係止部材を取り外す場合、係止部材の首部を抜き出し通路を介して抜き出すことによって、頭部も固定穴から抜き出し通路に抜き出されるので、係止部材全体を固定穴から容易に外すことができる。また、固定穴に係止部材が係入した状態では、一対の係止部によって首部が係止されているので、配線の振動や重量等によって、首部が抜き出し通路から容易に抜け落ちるのを防止できる。また、起立状に形成された固定片では、抜き出し通路が固定穴から固定片の下端部まで延設されているので、係止部材の頭部を固定片の下方に付勢することにより、首部が係止部の係止から外れて、抜き出し通路を介して容易に抜き出すことができる。また、配線を固定片の片面側から該片面とは反対の他面側に回り込んで配索させ、固定穴に係止部材を係入する場合、配線を左端部側又は右端部側に回り込ませ、かつ延出片に引っ掛けることによって、配線の位置ズレを防止することができる。これにより、例えば、配線が振動して、固定片の左端部又は右端部から外れて他部材に引っ掛かるのを防止できる。
【００１４】
【００１５】
【００１６】
【００１７】
また、請求項２に係る発明の配線の固定構造を備えたビルトインコンロでは、支持ユニット内において、パネル支持体をフレーム枠内に収納可能に軸支するパネル台の固定部の固定片に回路基板から延びる配線を固定できる。さらに、係止部材の首部を下方に付勢することで、抜き出し通路から抜き出すことができるので、係止部材を固定穴から容易に引き抜くことができる。これにより、例えば、支持ユニット内の保守点検時に、固定部に固定されていた配線を容易に取り外すことができるので、保守点検を効率良く行うことができる。
【００１８】
また、請求項３に係る発明の配線の固定構造を備えたビルトインコンロでは、請求項２に記載の発明の効果に加え、パネル支持体の支持面の上端部に設けられた係止片が、フレーム枠に固定されたパネル板に係止することによって、支持面が利用者側に向けられた状態でパネル支持体の支持角度を保持することができる。さらに、支持ユニット内のメンテナンス作業の際には、フレーム枠からパネル板を取り外すことによって、係止片の係止が外れるので、パネル支持体を支持ユニットの前方側にさらに回動させることができる。このとき、支持ユニットの前面側が開放され、支持ユニット内を露出させることができるので、パネル支持体を取り外す必要がなく、支持ユニット内の保守点検を効率よく行うことができる。
【発明を実施するための最良の形態】
【００１９】
以下、本発明の一実施の形態であるビルトインコンロ２について、図面に基づいて説明する。図１は、ビルトインコンロ２が組み込まれたキッチンカウンター１の斜視図であり、図２は、支持ユニット９の斜視図（設定パネル２４：収納状態）であり、図３は、支持ユニット９の斜視図（設定パネル２４：引出状態）であり、図４は、支持ユニット９の斜視図（パネル支持体２０：引出状態）であり、図５は、支持ユニット９の背面図（設定パネル２４：引出状態）であり、図６は、ハーネス６０を結束する結束バンド７５の部分拡大斜視図であり、図７は、パネル台３０の平面図であり、図８は、パネル台３０の正面図であり、図９は、パネル台３０の右側面図であり、図１０は、パネル台３０の左側面図であり、図１１は、図８に示す固定孔５０近傍の部分拡大図であり、図１２は、パネル台３０のハーネス固定片３３の内面にハーネス６０が固定された状態を示す平面図であり、図１３は、パネル台３０のハーネス固定片３３の外面にハーネス６０が固定された状態を示す平面図であり、図１４は、支持ユニット９の左側面図（パネル支持体２０を引き出した状態）である。
【００２０】
なお、図面において、図２（図３，図４）の左下側を支持ユニット９の前側とし、右上側を支持ユニット９の後ろ側とし、左上側を支持ユニット９の左側とし、右下側を支持ユニット９の右側とする。また、図５の左側を支持ユニット９の右側とし、右側を支持ユニット９の左側とし、紙面奥行き側を支持ユニット９の前側とし、紙面手前側を支持ユニット９の後ろ側とする。
【００２１】
本実施形態であるビルトインコンロ２は、コンロバーナ８４ａ，８４ｂ，８４ｃ及びグリル７０による加熱条件を設定できる設定パネル２４を器具本体の前面に備えるものである。そして、その設定パネル２４の回路基板１７から延びるハーネス６０を結束する結束バンド７５を、器具本体内の支持ユニット９内に配置されたパネル台３０に固定することで、回路基板１７からハーネス６０が引っ張られて抜け落ちるのを防止する構造を備えるものである。
【００２２】
はじめに、ビルトインコンロ２の全体構成について概略的に説明する。図１に示すように、ビルトインコンロ２は略直方体状の器具本体（図示外）を備え、キッチンカウンター１のカウンタートップ３に形成された略四角形状の上面開口に、その器具本体が落とし込まれている。そして、その器具本体の上端に形成された上端フランジ（図示外）が、カウンタートップ３に引掛けられて係止することにより、キッチンカウンター１に組込まれている。
【００２３】
次に、ビルトインコンロ２の天面構造について説明する。器具本体の天面の左右両側には、コンロバーナ８４ａ，８４ｂが各々設けられ、該コンロバーナ８４ａ，８４ｂの中央後方側には、とろ火用のコンロバーナ８４ｃが設けられている。さらに、コンロバーナ８４ｃの後方には、器具本体内に組み込まれたグリル７０の排気口（図示外）が設けられ、該グリル排気口には、複数の排気穴を有する安全カバー７が覆設されている。
【００２４】
また、これら各種コンロバーナが配設された器具本体の天面上には、前記コンロバーナ８４ａ，８４ｂ，８４ｃ及びグリル排気口（図示外）がそれぞれ露出するように所定部分が開口されたトッププレート４が設けられている。なお、このトッププレート４は、一枚の透過視性のガラスで形成され、その上面および下面には、透過視不能な印刷５が施されている。よって、印刷５が施されたトッププレート４の下方は視認できない。また、トッププレート４の上面には、前記コンロバーナ８４ａ，８４ｂ，８４ｃをそれぞれ囲むようにして、ゴトク８５ａ，８５ｂ，８５ｃが各々配置されている。こうして、ビルトインコンロ２の天面構造が構成されている。
【００２５】
次に、ビルトインコンロ２の正面構造について説明する。図１に示すように、器具本体の使用者に対向する正面中央には、グリル７０の取っ手７１が前方に突出して設けられている。なお、この取っ手７１は、グリル７０のグリル庫内から受皿及び焼き網（図示外）を手前に引き出すものである。さらに、この器具本体の正面左側には点火ボタン８１ａ，８１ｂが設けられ、正面右側には点火ボタン８１ｃが設けられている。そして、これら点火ボタン８１ａ，８１ｂ，８１ｃを各々操作することによって、コンロバーナ８４ａ，８４ｂ，８４ｃを各々点火することができる。
【００２６】
また、点火ボタン８１ｃの右隣には、グリル７０のグリル庫（図示外）内に設けられた一対のグリルバーナ（図示外）を点火するための点火ボタン７２が設けられている。そして、点火ボタン８１ａ，８１ｂの下側には、コンロバーナ８４ａ，８４ｂ，８４ｃ及びグリル７０による加熱条件（例えば、加熱時間、加熱温度等）を設定できる設定パネル２４（図３参照）を備えるパネル支持体２０が回動可能に設けられている。このパネル支持体２０は、器具本体内の前方左側に配設された支持ユニット９の内側で軸支されている。そして、このパネル支持体２０の閉塞面２３（図２参照）を押圧すると、図３に示すように、パネル支持体２０が正面手前側に回動し、設定パネル２４が器具本体の内側から外側に引き出される。なお、このパネル支持体２０の構造及び回動操作については後述する。
【００２７】
さらに、上記構造を備えた器具本体の正面には、取っ手７１、点火ボタン８１ａ，８１ｂ，８１ｃ、点火ボタン７２、パネル支持体２０がそれぞれ露出するように、これら各部品に対向する所定部分がそれぞれ開口された化粧パネル板９０が着脱可能に固定されている。こうして、ビルトインコンロ２の正面構造が構成される。
【００２８】
次に、支持ユニット９の構造について説明する。図２に示す支持ユニット９は、器具本体内の前方左側に配設されている。この支持ユニット９は、背面が除かれた箱状のフレーム枠１０を備え、該フレーム枠１０に、点火ボタン８１ａ，８１ｂ、コンロバーナ８４ａ，８４ｂの点火消火機構、パネル支持体２０が組み付けられている。そして、フレーム枠１０は、前壁部１０ａ、右側壁部１０ｂ、左側壁部１０ｃ、底壁部１０ｄ（図３，図４参照）及び天壁部１０ｅによって構成されている。以下、各壁部の形状及び構造について説明する。
【００２９】
まず、図２，図３に示すように、前壁部１０ａは正面視「ロ」の字型に形成され、支持ユニット９の前面上側寄りに設けられている。そして、その前壁部１０ａの略中央には、点火ボタン８１ａ，８１ｂを配設するための開口部１１が形成されている。また、前壁部１０ａの下端部略中央には、階段状の切り欠き溝１２が形成されている。なお、後述するが、この切り欠き溝１２は、パネル支持体２０の回動に伴い、パネル支持体２０の設定パネル２４が形成された側面上部から上方に延びる係止片２７を通過させる溝である。さらに、前壁部１０ａの下側には、パネル支持体２０を回動可能に配置するための略長方形状の開口部１３が形成されている。そして、この開口部１３の前側に、前壁部１０ａに固定された化粧パネル板９０のパネル用開口部９１が対向して配置される。
【００３０】
一方、右側壁部１０ｂは正面視縦長の長方形状に形成されている。そして、左側壁部１０ｃは正面視略Ｌ字状（図１４参照）に形成されている。さらに、天壁部１０ｅは、前壁部１０ａの上端部から略水平に折り返して延設された平面視横長の長方形状に形成されている。そして、その奥行き長さは、右側壁部１０ｂ及び左側壁部１０ｃの幅の略半分となっている。さらに、その天壁部１０ｅの後端部の左右両側には、器具本体に引っ掛けて係止するためのＬ字状の引っ掛け部１４ａ，１４ｂが各々設けられている。
【００３１】
また、底壁部１０ｄは平面視横長の長方形状に形成されている。そして、図３，図４に示すように、その底壁部１０ｄの内面の前方側には、パネル支持体２０を軸支するパネル台３０がビス８５，８５によって固定されている。なお、このパネル台３０については後述する。
【００３２】
このような上記構造を備えるフレーム枠１０の内側に、コンロバーナ８４ａ，８４ｂの点火・消火を行う一対の点火消火機構（図示外）が配設される。そして、この一対の点火消火機構に、開口部１１を介して、点火ボタン８１ａ，８１ｂが各々連結される。
【００３３】
次に、パネル支持体２０について説明する。図２乃至図４に示すように、パネル支持体２０は一側面が開放された中空の略三角柱状に形成され、フレーム枠１０の内側で略水平な状態で軸支されている。このパネル支持体２０の側面は、化粧パネル板９０のパネル用開口部９１を閉塞するとともに、利用者によって押圧される閉塞面２３（図２参照）と、設定パネル２４が形成された側面とから構成されている。さらに、図３に示すように、閉塞面２３を下側に向けて回動させたパネル支持体２０において、設定パネル２４が形成された側面の上端部の略中央部には上方に延びる板状の係止片２７が設けられている。
【００３４】
そして、その係止片２７の先端側において、設定パネル２４側を向く面には、化粧パネル板９０の内面に当接するためのクッションとなる板状の当接部２８が固定されている。一方、その反対面には、図４，図５に示すように、後述するパネル台３０の着脱部支持片３４の支持孔３４ａに嵌挿された着脱装置９５（図５参照）に対し、パネル支持体２０の回動に伴って押圧挿入され、かつ係止される突起部２９が設けられている。なお、着脱装置９５については後述する。
【００３５】
また、図３に示すように、設定パネル２４が形成された側面上端部の左右両側には、設定パネル２４の前方に向かって「く」の字型に形成され、自身の先端が化粧パネル板９０の内面に当接する一対の当接片２６ａ，２６ｂが設けられている。さらに、該一対の当接片２６ａ，２６ｂのうち、パネル支持体２０の左側に位置する当接片２６ａの外面には、図４，図１４に示すように、ギヤ６７が回動可能に軸支されている。そして、このギヤ６７が、後述するパネル台３０の歯状ガイド片３５の歯部３５ａに噛合する。これにより、パネル支持体２０が回動する際に、ギヤ６７が歯状ガイド片３５の歯部３５ａに噛合してガイドされるので、パネル支持体２０の回動動作を安定化させている。
【００３６】
一方、設定パネル２４は、図３に示すように、コンロバーナ８４ａ，８４ｂ，８４ｃ（図１参照）のタイマー設定、加熱温度の設定、入力操作の取り消し等を行う４つの操作ボタン２４ａと、グリル７０のタイマー設定等を行う２つの操作ボタン２４ｂと、該操作ボタン２４ｂで設定されたタイマー時間を表示する表示部２４ｃとを備えている。さらに、図４に示すように、この設定パネル２４が形成された側面の裏側には、設定パネル２４の各種操作ボタンの押圧を検知して電気信号に変換する回路基板１７が配置されている。そして、この回路基板１７はその周縁部を複数の鉤状の係止部材８３に係止されている。これにより、回路基板１７はパネル支持体２０の内側に保持されている。
【００３７】
また、図５に示すように、この回路基板１７には、ハーネス６０を構成する複数の配線の各端部が半田付けで接合されている。さらに、ハーネス６０は結束バンド７５で結束され、支持ユニット９の内側を配索されて、自身の他端が器具本体内のコントローラ（図示外）に接続されている。そして、図５，図６に示すように、この結束バンド７５には係止ピン７６が設けられ、該係止ピン７６が、パネル台３０のハーネス固定片３３の右端部に穿設された固定孔５０に係入されている。これにより、ハーネス６０がハーネス固定片３３に固定されるため、ハーネス６０と回路基板１７との接合部分に負荷がかからず、回路基板１７の接合部分からハーネス６０が抜け落ちるのを防止している。
【００３８】
また、上記構造を備えるパネル支持体２０において、その左右両端面の各頂点のうち、設定パネル２４の裏面に対向する頂点近傍には軸支孔（図示外）が穿設されている。そして、図４に示すように、その相対する一対の軸支孔には回転軸６３が嵌挿されている。さらに、この回転軸６３の左右両端側はその中央部よりも細径に形成され、パネル台３０が備える歯状ガイド片３５及び右側軸支片３６の軸支部４５，４６の軸支孔４５ａ，４６ａ（図９，図１０参照）に挿入されて軸支されている。これにより、パネル支持体２０は、パネル台３０の歯状ガイド片３５と右側軸支片３６との間で回動することができる。
【００３９】
また、この回転軸６３には、図４に示すように、パネル支持体２０を支持ユニット９の内側から外側に回動させるように付勢する環状バネ６５が環装されている。これにより、設定パネル２４が器具本体外に引き出された状態では、環状バネ６５の付勢力によって、係止片２７が化粧パネル板９０の内面に当接した状態で前方に付勢されるので、パネル支持体２０はガタつくことなく所定の回動位置に保持される。
【００４０】
次に、結束バンド７５について説明する。図６に示すように、結束バンド７５は樹脂製であり、ハーネス６０を結束するバンドである。この結束バンド７５には、板状の支持台７７が固定され、該支持台７７上には係止ピン７６が突設されている。この係止ピン７６は、紡錘状の頭部７８、該頭部７８と支持台７７との間を連結する首部７９から構成されている。さらに、首部７９は、首本体部７９ａと、該首本体部７９ａを隙間を介して両側から挟み込み、外部付勢によって内側に撓む一対の撓み部７９ｂとから構成されている。また、支持台７７の対向する一対の側面には、支持台７７を挟んで略Ｖ字状に延びるとともに、先端が球状となった一対の当接片７７ａ，７７ａが設けられている。このような形状からなる係止ピン７６を、パネル台３０のハーネス固定片３３に穿設された固定孔５０（図１１参照）に係入することによって、結束バンド７５をハーネス固定片３３に固定することができる。なお、図６に示す結束バンド７５が「結束部材」に相当し、係止ピン７６が「係止部材」に相当する。
【００４１】
次に、パネル台３０について説明する。図７，８に示すように、パネル台３０は、フレーム枠１０の底壁部１０ｄ（図４参照）の内面に固定される平面視横長の略長方形状の本体片３１と、該本体片３１の後端部の左右両側を除く中央部から後方側に延設された平面視横長の帯状の連結片３２と、該連結片３２の後端部から直角に起立し、ハーネス６０を固定するためのハーネス固定片３３と、前記本体片３１の右端部からやや前方に突出して起立し、パネル支持体２０の右側を軸支する略長方形状の右側軸支片３６と、前記本体片３１の左端部から前方にやや突出して起立し、パネル支持体２０の左側を軸支するとともに、フレーム枠１０の内側にパネル支持体２０（図４参照）をガイドする扇形状の歯状ガイド片３５とを主体に構成されている。
【００４２】
次に、本体片３１について説明する。図７に示すように、本体片３１は、平面視横長の略長方形状に形成されている。そして、その前端部近傍には、フレーム枠１０の底壁部１０ｄ（図４参照）に固定するための一対の固定孔３１ａ，３１ｂが穿設されている。この一対の固定孔３１ａ，３１ｂは、フレーム枠１０の底壁部１０ｄに穿設された一対の固定孔（図示外）に対向して配置され、ビス８５を下側から差し込んで固定することで、パネル台３０全体がフレーム枠１０の底壁部１０ｄの内面に固定される（図４，図１４参照）。なお、パネル台３０は、後述する自身の着脱部支持片３４が支持ユニット９の後方側に向くようにして固定される。
【００４３】
次に、右側軸支片３６について説明する。図９に示すように、右側軸支片３６は起立するやや横長の長方形状に形成され、その前端下部がやや前方に突出する軸支部４６を備えている。そして、その軸支部４６にはパネル支持体２０の回転軸６３（図４参照）の右端部を挿入して軸支するための軸支孔４６ａが穿設されている。
【００４４】
次に、歯状ガイド片３５について説明する。図１０に示すように、歯状ガイド片３５は起立する扇形状にされ、その前端下部がやや前方に突出する軸支部４５を備えている。そして、その軸支部４６にはパネル支持体２０の回転軸６３の左端部を挿入して軸支するための軸支孔４５ａが穿設されている。さらに、その歯状ガイド片３５の円弧状の外縁部分には、ギヤ６７（図４参照）と噛合するための歯部３５ａが形成されている。
【００４５】
次に、ハーネス固定片３３について説明する。図８に示すように、ハーネス固定片３３は起立する正面視横長の長方形状に形成されている。そして、その上端部略中央には、パネル台３０の後方側に、かつ斜め上方に折り曲げられた平面視ロの字形状の着脱部支持片３４が設けられている。さらに、その着脱部支持片３４の略中央には矩形状の支持孔３４ａが穿設され、該支持孔３４ａには着脱装置９５（図５参照）が嵌挿されている。そして、その着脱部支持片３４の左右両側には、ハーネス固定片３３の上端部から着脱部支持片３４の下端部の位置まで各々延設された縦長長方形状の一対の溝３３ａ，３３ｂが設けられている。
【００４６】
また、ハーネス固定片３３の左右両端部近傍には、図８，図１１に示すように、結束バンド７５の係止ピン７６を係入するための固定孔５０が各々穿設されている。そして、その固定孔５０の下部には、ハーネス固定片３３の下端部まで連通する抜き出し通路５１が連結されている。さらに、ハーネス固定片３３の右側の固定孔５０に連結する抜き出し通路５１の下端部には、ハーネス固定片３３の右端部まで連通する横抜き出し通路５２が連結されている。一方、ハーネス固定片３３の左側の固定孔５０に連結する抜き出し通路５１の下端部には、ハーネス固定片３３の左端部まで連通する横抜き出し通路５２が連結されている。なお、これら抜き出し通路５１及び横抜き出し通路５２の通路幅は、係止ピン７６の首部７９（図６参照）が通過可能な程度に調整されている。
【００４７】
さらに、固定孔５０と抜き出し通路５１とが連結する部分の内面には、抜き出し通路５１の内側に向かって両側から突出する一対の係止部４０，４０が設けられている。そして、この一対の係止部４０，４０の離間幅は、図６に示す係止ピン７６の首部７９の径よりもやや狭くなっている。これにより、首部７９は一対の係止部４０，４０の隙間を容易に通過することはできないので、固定孔５０に係入した係止ピン７６が固定孔５０から容易に抜け落ちるのを防止することができる。また、ハーネス固定片３３の左端部の上部には、左側方に延設され、ハーネス６０のズレを防止するための延出片３８が設けられている。なお、この延出片３８の機能については後述する。また、図８に示すハーネス固定片３３が、「固定片」に相当する。
【００４８】
次に、着脱装置９５について説明する。図５に示す着脱装置９５は、パネル支持体２０の係止片２７の先端に設けられた突起部２９を、所定の押圧動作によって着脱動作を繰り返すことのできる周知のプッシュ機構を備えるものである。この着脱装置９５は、突起部２９を効果的に係止するための一対の把手９６，９６を備えている。例えば、着脱装置９５の動作は次の通りである。まず、パネル支持体２０が回動すると、係止片２７の先端に設けられた突起部２９が、着脱装置９５の一対の把手９６，９６の内側に押圧挿入される。すると、着脱装置９５では、一対の把手９６，９６が閉じられ、突起部２９が両側から挟み込まれて確実に係止される。このとき、図２に示すように、パネル支持体２０の設定パネル２４は支持ユニット９の内側に収納され、化粧パネル板９０のパネル用開口部９１は、パネル支持体２０の閉塞面２３によって閉塞される。
【００４９】
次に、この状態で閉塞面２３が支持ユニット９の内側に押圧されると、突起部２９が再び着脱装置９５内に押し込まれる。すると、着脱装置９５では、プッシュ機構によって一対の把手９６，９６が開放するので、突起部２９の係止が解除される。こうして、パネル支持体２０は再び回動可能となるので、設定パネル２４を支持ユニット９の外側に再び引き出すことができる。そして、設定パネル２４が支持ユニット９の外側に引き出された状態では、パネル支持体２０の係止片２７の当接部２８が、支持ユニット９の前壁部１０ａの切り欠き溝１２を介して、化粧パネル板９０の内面に当接して係止する。これにより、パネル支持体２０の回動が停止され、設定パネル２４が利用者に対向する状態でパネル支持体２０の回動位置が保持される。
【００５０】
次に、固定孔５０に対する係止ピン７６の固定方法について説明する。まず、図６に示す係止ピン７６を、図８に示すパネル台３０の内面側（支持ユニット９の内側に対向する面側）に配置する。次いで、係止ピン７６の頭部７８を固定孔５０に対向させる。そして、その頭部７８を固定孔５０に押し込む。すると、頭部７８のみが固定孔５０を通過し、一対の当接片７７ａ，７７ａの各先端部がハーネス固定片３３の内面に当接する。このとき、首部７９の一対の撓み部７９ｂは、固定孔５０の内縁部に付勢されて首本体部７９ａに向かって撓むとともに、その反発力によって、固定孔５０の内縁部を付勢することで、係止ピン７６が弾性保持された状態となる。こうして、頭部７８が固定孔５０の内縁部に係止する。また、この状態においては、首部７９は、一対の係止部４０，４０の間を容易に通過出来ないので、抜き出し通路５１から首部７９が容易に抜き出される恐れがない。このように、固定孔５０に係止ピン７６が係入することによって、ハーネス６０がハーネス固定片３３の内面に固定され、パネル台３０の内側に支持することができる。
【００５１】
次に、固定孔５０に係入された係止ピン７６を外す方法について説明する。まず、図５に示すように、固定孔５０に係入した係止ピン７６の頭部７８（図６参照）に指（又は、治具等）をかけて下方に強く付勢する。すると、首部７９が圧縮変形するので、一対の係止部４０，４０の隙間に首部７９を通過させることができる。これにより、係止ピン７６を固定孔５０から抜き出し通路５１に抜き出すことができる。さらに、抜き出し通路５１の内側に抜き出した係止ピン７６の首部７９を、横抜き出し通路５２を介すことによって、係止ピン７６全体を支持ユニット９の右側（図５に示す左側）から抜き出すことができる。このように、固定孔５０に係入した係止ピン７６をそのまま引き抜かなくても、係止ピン７６の頭部７８を下方に付勢するだけの簡単な動作で固定孔５０から外すことができる。
【００５２】
次に、ハーネス６０をハーネス固定片３３の内面に固定する場合について説明する。例えば、図１２に示すように、まず、回路基板１７（図５参照）から延びるハーネス６０をそのままパネル台３０の内側に配索する。次いで、ハーネス６０の結束バンド７５の係止ピン７６を、固定孔５０（図８参照）に対して、ハーネス固定片３３の内面側から外面側に向かう方向に係入する。これにより、ハーネス６０は、ハーネス固定片３３の内面に固定される。こうして、ハーネス固定片３３の内面に固定されたハーネス６０を、パネル台３０の右側後方から支持ユニット９の内側を介して器具本体内に配索でき、器具本体内に組み込まれたコントローラ（図示外）に接続することができる。
【００５３】
次に、ハーネス６０をハーネス固定片３３の外面に固定する場合について説明する。例えば、図１３に示すように、まず、回路基板１７（図５参照）から延びるハーネス６０をパネル台３０の内側に配索するとともに、ハーネス固定片３３の左端部に設けられた延出片３８の下側を配索して、ハーネス固定片３３の外面側に引き出す。次いで、ハーネス６０の結束バンド７５の係止ピン７６を、固定孔５０（図８参照）に対して、ハーネス固定片３３の外面側から内面側に向かう方向に係入する。これにより、ハーネス６０は、ハーネス固定片３３の外面に固定される。さらに、ハーネス固定片３３の左端部を旋回して配索されたハーネス６０は、延出片３８によって上側から係止されるので、ハーネス６０がハーネス固定片３３の左端部からズレて外れてしまうのを防止することができる。こうして、ハーネス固定片３３の外面に固定されたハーネス６０を、パネル台３０の右側後方から支持ユニット９の内側を介して器具本体内に配索でき、器具本体内に組み込まれたコントローラ（図示外）に接続することができる。
【００５４】
次に、ビルトインコンロ２における支持ユニット９内のハーネス６０の保守交換手順について説明する。まず、作業者は、ビルトインコンロ２の正面に対向する。次いで、器具本体の正面から化粧パネル板９０を取り外す。これにより、フレーム枠１０の前壁部１０ａが露出されると同時に、前壁部１０ａの下端部中央部の切り欠き溝１２が露出される（図２参照）。さらに、パネル支持体２０の閉塞面２３を押圧することによって、設定パネル２４を支持ユニット９の外側に引き出してパネル支持体２０を正面手前側に回動させる（図３参照）。すると、パネル支持体２０の係止片２７は切り欠き溝１２を通過する。そして、化粧パネル板９０が外されているので、パネル支持体２０は正面手前側にさらに回動する。こうして、図４，図１４に示すように、パネル支持体２０は支持ユニット９の下側まで完全に引き出される。このとき、フレーム枠１０の開口部１３の内側にはパネル支持体２０がない状態となるので、開口部１３から支持ユニット９の内側全体を視認することができる。さらに、作業者は、その開口部１３を介して、ハーネス６０の係止ピン７６に触れることができる。これにより、ハーネス固定片３３の固定孔５０に係入する係止ピン７６を、上記方法によって容易に外すことがでできる。したがって、作業者は、支持ユニット９を器具本体内から取り出さなくても、化粧パネル板９０を取り外し、パネル支持体２０を回動させるだけで、支持ユニット９の内側が露出されるので、ハーネス６０の保守交換を簡単にすることができる。
【００５５】
以上説明したように、本実施形態のビルトインコンロ２では、コンロバーナ８４ａ，８４ｂ，８４ｃ及びグリル７０による加熱条件を設定できる設定パネル２４を器具本体の前面に備えている。そして、その設定パネル２４の回路基板１７から延びるハーネス６０を結束する結束バンド７５を、器具本体内の支持ユニット９内に配置されたパネル台３０に固定することで、回路基板１７からハーネス６０が引っ張られて抜け落ちるのを防止する構造を備えている。このパネル台３０は起立するハーネス固定片３３を備え、該ハーネス固定片３３には、結束バンド７５に設けられた係止ピン７６を係入するための固定孔５０が穿設されている。よって、この固定孔５０に係止ピン７６を係入することで、結束バンド７５がハーネス固定片３３に固定され、ハーネス６０がハーネス固定片３３に固定される。
【００５６】
そして、ハーネス固定片３３において、固定孔５０には、抜き出し通路５１及び横抜き出し通路５２が連結されている。さらに、固定孔５０と抜き出し通路５１とが連結する部分の内面には、係止ピン７６の首部７９を係止するための一対の係止部４０，４０が設けられている。上記構造により、固定孔５０に係入された係止ピン７６を外す場合、係止ピン７６の頭部７８を下方に付勢することによって、一対の係止部４０，４０の隙間に係止ピン７６の首部７９を通過させ、係止ピン７６を固定孔５０から抜き出し通路５１に抜き出すことができる。さらに、抜き出し通路５１の内側に抜き出した係止ピン７６の首部７９を、横抜き出し通路５２を介すことによって、係止ピン７６全体をハーネス固定片３３から外すことができる。このように、固定孔５０に係入した係止ピン７６をそのまま引き抜かなくても、係止ピン７６の頭部７８を下方に付勢するだけの簡単な動作で固定孔５０から外すことができるので、ハーネス６０の保守交換を効率よく行うことができる。
【００５７】
なお、本発明は、上記実施形態に限定されることなく、様々な変形が可能であることは言うまでもない。上記実施形態では、パネル台３０のハーネス固定片３３に穿設された２つの固定孔５０のうち、片側の固定孔５０のみに結束バンド７５の係止ピン７６を係入してハーネス６０を固定したが、両側の固定孔５０を使用することで、結束バンド７５で結束された２本のハーネスをそれぞれハーネス固定片３３に固定することも可能である。
【００５８】
また、上記実施形態では、延出片３８はハーネス固定片３３の左端側にのみ設けたが、右端側に設けてもよく、さらに両側にそれぞれ設けてもよい。
【産業上の利用可能性】
【００５９】
本発明の配線の固定構造は、ビルトインコンロのみならず、各種構造体内を配索される配線の固定構造に適用可能である。
【図面の簡単な説明】
【００６０】
【図１】ビルトインコンロ２が組み込まれたキッチンカウンター１の斜視図である。
【図２】支持ユニット９の斜視図（設定パネル２４：収納状態）である。
【図３】支持ユニット９の斜視図（設定パネル２４：引出状態）である。
【図４】支持ユニット９の斜視図（パネル支持体２０：引出状態）である。
【図５】支持ユニット９の背面図（設定パネル２４：引出状態）である。
【図６】ハーネス６０を結束する結束バンド７５の部分拡大斜視図である。
【図７】パネル台３０の平面図である。
【図８】パネル台３０の正面図である。
【図９】パネル台３０の右側面図である。
【図１０】パネル台３０の左側面図である。
【図１１】図８に示す固定孔５０近傍の部分拡大図である。
【図１２】パネル台３０のハーネス固定片３３の内面にハーネス６０が固定された状態を示す平面図である。
【図１３】パネル台３０のハーネス固定片３３の外面にハーネス６０が固定された状態を示す平面図である。
【図１４】支持ユニット９の左側面図（パネル支持体２０を引き出した状態）である。
【符号の説明】
【００６１】
１    キッチンカウンター
２    ビルトインコンロ
９    支持ユニット
１０    フレーム枠
１０ａ  前壁部
１０ｄ  底壁部
１７    回路基板
２０    パネル支持体
２４    設定パネル
２７    係止片
３０    パネル台
３１    本体片
３２    連結片
３３    ハーネス固定片
３８    延出片
４０    係止部
４５，４６    軸支部
５０    係止孔
５１    抜き出し通路
５２    横抜き出し通路
６０    ハーネス
７５    結束バンド
７６    係止ピン
７８    頭部
７９    首部
８４ａ，８４ｂ，８４ｃ  コンロバーナ
９０    化粧パネル板
【図１】
0004725844.tif 000002
【図２】
0004725844.tif 000003
【図３】
0004725844.tif 000004
【図４】
0004725844.tif 000005
【図５】
0004725844.tif 000006
【図６】
0004725844.tif 000007
【図７】
0004725844.tif 000008
【図８】
0004725844.tif 000009
【図９】
0004725844.tif 000010
【図１０】
0004725844.tif 000011
【図１１】
0004725844.tif 000012
【図１２】
0004725844.tif 000013
【図１３】
0004725844.tif 000014
【図１４】
0004725844.tif 000015